(57)【特許請求の範囲】
【請求項１】
第１の開口部を有する筐体と、前記第１の開口部を覆う扉体と、前記扉体より内側に配され前記筐体内に前後方向に移動可能に設置されるとともに上方に第２の開口部を有する洗浄槽と、前記筐体と前記洗浄槽との間の外空間と、前記筐体に設けられた通気口と、前記筐体に備えられ前記第２の開口部を開閉する内蓋と、前記内蓋に設けた排気経路と、送風手段とを備え、前記送風手段は前記洗浄槽内の空気を前記排気経路を通じて前記洗浄槽外の前記外空間へ排出し、さらに前記通気口によって機外に排出する構成とした食器洗い機。
【請求項２】
前記内蓋に内蓋給水経路が設けられ、前記内蓋給水経路は前記排気経路と熱交換する構成とした請求項１記載の食器洗い機。
【請求項３】
前記内蓋給水経路は、前記排気経路の外周を環状に取り囲むように構成した請求項２記載の食器洗い機。
【請求項４】
前記内蓋に前記排気経路で連通する内蓋吸気口と内蓋排気口とを設け、前記内蓋吸気口と前記内蓋排気口とは、前後方向、左右方向いずれにおいても互いにずらせて配設した請求項１〜３のいずれか１項記載の食器洗い機。
【請求項５】
前記内蓋に前記排気経路に連通し前記洗浄槽の第２の開口部に向けて下方に開口する内蓋吸気口を設け、前記排気経路は前記内蓋吸気口に向かって下り勾配に傾斜する部位を備えた請求項１〜４のいずれか１項記載の食器洗い機。
【請求項６】
前記洗浄槽は前記送風手段に連通する吸気口を前底部に備えるとともに、前記内蓋は前記排気経路に連通し前記洗浄槽の第２の開口部に向けて下方に開口する内蓋吸気口を後部に備えた請求項１〜５のいずれか１項記載の食器洗い機。
【発明の詳細な説明】
【技術分野】
【０００１】
本発明は食器類を洗浄、乾燥するビルトインタイプの食器洗い機に関するものである。
【背景技術】
【０００２】
従来、この種の食器洗い機は図４、５のように構成している（例えば、特許文献１参照）。図４、５は、特許文献１に記載された従来の食器洗い機を示すものである。図に示すように、システムキッチンに収容され、前方に第１の開口部１を有する筐体２の内部に設けた洗浄槽３は、前方に第１の開口部１を覆う扉体４と、上方に第２の開口部５を設け、内部に食器類６を収容する食器かご７を配置している。食器かご７の下方には洗浄ノズル８を回転自在に設けており、洗浄槽３内に溜めた洗浄水をポンプ９によって循環させ、洗浄ノズル８より噴射して食器類６を洗浄する。
【０００３】
また、洗浄槽３の左右の側部下方にはレール１０を固定し、前後方向へ平行移動可能に支持されている。食器類６の出し入れを行う際には、扉体４に一体的に形成された把手部１１をつかみ、洗浄槽３を前方に引き出し、第２の開口部５より食器類６の収容をする。次に洗浄槽３を筐体２内に戻し、収納するとともに筐体２内の上部空間に待機していた内蓋１２が、筐体２内の左右の側面に配したリンク機構１３等により後方へ移動しつつ降下して洗浄槽３の第２の開口部５を閉塞するよう構成している。
【０００４】
また、洗浄槽３前方に設けられた扉体４の上部には排気口１４が設けられ、送風手段１５によって洗浄槽３内の空気を排気口１４より機外へ排出して食器類６の乾燥をする。
【０００５】
食器類６の出し入れを行う際には、洗浄槽３を前方に引き出し、第２の開口部５より食器類６を収容する。次に洗浄槽３を筐体２内に戻し、運転を開始すると、洗浄槽３の底部に配置されたヒータ１６によって洗浄水を加熱しながら、洗浄ノズル８から食器類６に向かって噴射し、食器類６の汚れを落とす洗浄行程を行う。その後、食器類６をすすいだ後、排水を行い、洗浄槽３内の空気をヒータ１６によって暖めつつ、送風手段１５によって排気する乾燥行程を行って運転を終了する。
【先行技術文献】
【特許文献】
【０００６】
【特許文献１】特開２００４−１５４２２３号公報
【発明の概要】
【発明が解決しようとする課題】
【０００７】
しかしながら、前記従来の構成では、ヒータ１６によって暖められた洗浄槽３内の空気が、前面に設けられた排気口１４から排気される構成としているため、乾燥工程中に他の作業を行ったり前を通過する際に、火傷はしないまでも、突然の熱を帯びた排気に驚いたり、湿気を多く含んだ排気で衣服をぬらす等の課題を有していた。また、排気口１４周辺および排気口１４と洗浄槽３内部とを連通する排気経路内に結露水が滞留し不衛生であるという課題も有していた。
【０００８】
本発明は、上記従来の課題を解決するもので、排気を食器洗い機の前面から出さないことで、食器洗い機の前での作業や、通過する際に排気を気にすることなく安心して使用することができる食器洗い機を提供することを目的とする。
【課題を解決するための手段】
【０００９】
前記従来の課題を解決するために、本発明の食器洗い機は、第１の開口部を有する筐体と、前記第１の開口部を覆う扉体と、前記扉体より内側に配され前記筐体内に前後方向に移動可能に設置されるとともに上方に第２の開口部を有する洗浄槽と、前記筐体と前記洗浄槽との間の外空間と、前記筐体に設けられた通気口と、前記筐体に備えられ前記第２の開口部を開閉する内蓋と、前記内蓋に設けた排気経路と、送風手段とを備え、前記送風手段は前記洗浄槽内の空気を前記排気経路を通じて前記洗浄槽外の前記外空間へ排出し、さらに前記通気口によって機外に排出する構成としたものである。
【００１０】
これによって、排気を食器洗い機の前面から出さないことで、食器洗い機の前での作業や、通過する際に排気を気にすることなく安心して使用することができる。
【発明の効果】
【００１１】
本発明の食器洗い機は、排気を食器洗い機の前面から出さないことで、食器洗い機の前での作業や、通過する際に排気を気にすることなく安心して使用することができる。
【図面の簡単な説明】
【００１２】
【図１】本発明の実施の形態１における食器洗い機の縦断面図
【図２】同食器洗い機の洗浄槽を筐体から前方に引き出した状態の縦断面図
【図３】（ａ）同食器洗い機の内蓋の平面図（ｂ）同内蓋の図３（ａ）のＡ−Ａ線における断面図
【図４】従来の食器洗い機の縦断面図
【図５】同食器洗い機の洗浄槽を筐体から前方に引き出した状態の縦断面図
【発明を実施するための形態】
【００１３】
第１の発明は、第１の開口部を有する筐体と、前記第１の開口部を覆う扉体と、前記扉体より内側に配され前記筐体内に前後方向に移動可能に設置されるとともに上方に第２の開口部を有する洗浄槽と、前記筐体と前記洗浄槽との間の外空間と、前記筐体に設けられた通気口と、前記筐体に備えられ前記第２の開口部を開閉する内蓋と、前記内蓋に設けた排気経路と、送風手段とを備え、前記送風手段は前記洗浄槽内の空気を前記排気経路を通じて前記洗浄槽外の前記外空間へ排出し、さらに前記通気口によって機外に排出する構成としたことにより、排気を食器洗い機の前面から出さないことで、使用者は使用中または使用していない場合でも、食器洗い機の前での作業や、通過する際に排気を気にすることなく安心して使用することができる。
【００１４】
第２の発明は、上記第１の発明において、前記内蓋に内蓋給水経路が設けられ、前記内蓋給水経路は前記排気経路と熱交換する構成としたことにより、熱い湿った排気をそのまま機外に出すことがなく、使用者は使用中または使用していない場合でも、食器洗い機の前での作業や、通過する際に排気を気にすることなく安心して使用することができるとともに、洗浄槽外への排気による結露を緩和することができ、使用感を向上させることができる。
【００１５】
第３の発明は、上記第２の発明において、前記内蓋給水経路は、前記排気経路の外周を環状に取り囲むように構成したことにより、内蓋給水経路からの冷却効果を高めることで排気の熱交換をより効率よく実施させることができ、洗浄槽外への排気による結露を緩和することができる。
【００１６】
第４の発明は、上記第１〜第３のいずれかの発明において、前記内蓋に前記排気経路で連通する内蓋吸気口と内蓋排気口とを設け、前記内蓋吸気口と前記内蓋排気口とは、前後方向、左右方向いずれにおいても互いにずらせて配設したことにより、排気経路の長さを可能な限り長く設定するとともに、排気経路外周の側壁部と内蓋給水経路との接触面積を可能な限り広く設定できるので、排気の熱交換をより効率よく実施させることができ、洗浄槽外への排気による結露を緩和することができる。
【００１７】
第５の発明は、上記第１〜第４のいずれかの発明において、前記内蓋に前記排気経路に連通し前記洗浄槽の第２の開口部に向けて下方に開口する内蓋吸気口を設け、前記排気経路は前記内蓋吸気口に向かって下り勾配に傾斜する部位を備えたことにより、排気経路内で熱交換されて発生する結露水を洗浄槽内に確実に回収することができ、洗浄槽外に漏れることを防止することができる。
【００１８】
第６の発明は、上記第１〜第５のいずれかの発明において、前記洗浄槽は前記送風手段に連通する吸気口を前底部に備えるとともに、前記内蓋は前記排気経路に連通し前記洗浄槽の第２の開口部に向けて下方に開口する内蓋吸気口を後部に備えたことにより、吸気口から取り込まれヒータによって加熱された乾燥した空気を洗浄槽内で前底部から後上部に流れるようにして洗浄槽内にくまなく行き渡らせることができるので、食器類等の乾燥を効率よく行わせることができる。
【００１９】
以下、本発明の実施の形態について、図を参照しながら説明する。なお、この実施の形態によって本発明が限定されるものではない。
【００２０】
（実施の形態１）
図１〜３は、本発明の第１の実施の形態における食器洗い機を示すものである。図１〜３において、システムキッチンに収容された筐体１７は、前面に第１の開口部１８を有し、筐体１７内に前後方向に移動自在に設けられ、食器類１９等の被洗浄物を収容し洗浄する洗浄槽２０には、洗浄槽２０が後方向に移動され筐体１７内に収納された時に第１の開口部１８を覆う扉体２１をその前方に設けている。
【００２１】
また、洗浄槽２０は、筐体１７の両側面内側に略水平方向に架設されたレール２２に沿って前後方向に引き出し自在となっており、内部に食器類１９を収容する食器かご２３を配置し、食器かご２３の下方には洗浄ノズル２４を回転自在に設けており、洗浄槽２０内に溜めた洗浄水を、底部に配置されたヒータ４０によって洗浄水を加熱しながら、洗浄ポンプ２５によって循環させ、洗浄ノズル２４より噴射して食器類１９を洗浄するよう構成するとともに、上方に第２の開口部２６を有している。
【００２２】
また、筐体１７内の上方には第２の開口部２６を閉塞するための内蓋２７を配置し、前後一対のリンクを含む左右一対の平行リンク機構２８により上下動自在に支持されるとともに、この内蓋２７の下面には、降下したときに洗浄槽２０の第２の開口部２６をシールするシール手段２９が固定され、洗浄槽２０を引き出したとき、シール手段２９が洗浄槽２０の前後の移動に干渉しないよう上方に逃がす構成としている。
【００２３】
また、図３に詳細に示すように、内蓋２７の後部の外縁３０には、筐体１７の後部に設けられた、機外からの給水を中継する給水手段３１からの給水経路３２を接続する給水接続部３３と、シール手段２９内方に、筐体１７に収容した状態の洗浄槽２０の第２の開口部２６に向けて開口して設けた給水口３４と、給水接続部３３からの給水をシール手段２９の上方を通過し給水口３４へ導く内蓋給水経路３５とを一体的に形成している。
【００２４】
また、内蓋２７には、筐体１７に収容した状態の洗浄槽２０の第２の開口部２６に向けて下方に開口する内蓋吸気口３６と、上方に向けて開口する内蓋排気口３７と、内蓋吸気口３６と内蓋排気口３７とを連通する排気経路３８が一体的に設けられており、洗浄槽２０の外底部に設けた送風手段３９によって、洗浄槽２０の前底部に設けた吸気口４３から洗浄槽２０内に外気を取り込み、洗浄槽２０内の空気を、洗浄槽２０内底部に配置されたヒータ４０によって加熱しながら、内蓋吸気口３６から排気経路３８を通過し、内蓋排気口３７より洗浄槽２０外へ排出して食器類１９の乾燥をする構成としている。
【００２５】
また、内蓋吸気口３６を内蓋２７の後部に、内蓋排気口３７を内蓋２７の前部にそれぞれ設けるとともに、排気経路３８は、内蓋吸気口３６を最下端とし、内蓋排気口３７へ向かって徐々に上り勾配に傾斜した構成としている。さらに、内蓋給水経路３５は、給水接続部３３側を内蓋吸気口３６の外周近傍で分岐させ、排気経路３８の外周に沿わせて配置させ、給水口３４側の内蓋排気口３７外周近傍で再び１本の経路とすることで、排気経路３８の外周を環状に取り囲む環状給水経路３５ａを形成し、この環状給水経路３５ａ部分で排気経路３８外周の側壁部４１と内蓋給水経路３５とを接触させ、熱交換する構成としている。
【００２６】
また、前述したように、内蓋吸気口３６を内蓋２７の後部に、内蓋排気口３７を内蓋２７の前部にそれぞれ設けているが、前後方向で同一直線上ではなく、左右方向でずらせて配置してある。すなわち、本実施の形態では、内蓋吸気口３６を右後方に、内蓋排気口３７を左前方にそれぞれ配置してある。そして、排気経路３８を平面視略Ｌ字形状に形成してある。このようにすることによって、排気経路３８の長さを可能な限り長く設定するとともに、排気経路３８外周の側壁部４１と内蓋給水経路３５との接触面積を可能な限り広く設定できる構成としている。
【００２７】
また、筺体１７の前面上方には、洗浄槽２０内の空気を逃がす通気口４２を設けて、内蓋２７上方の空気を機外に逃がす構造としている。
【００２８】
以上のように構成された食器洗い機について、以下その動作、作用を説明する。洗浄工程、すすぎ工程における動作、作用については、従来のビルトインタイプの食器洗い機と同様であり、説明を省略する。運転が乾燥工程に入ると、ヒータ４０によって洗浄槽２０内の空気を加熱しつつ、送風手段３９によって内蓋吸気口３６から排気経路３８を通過し、内蓋排気口３７より洗浄槽２０外へ排出することで、食器類１９の乾燥を行う。
【００２９】
このとき、洗浄槽２０内の加熱された空気は食器類１９や洗浄槽２０内の水分を多く含んでいるが、洗浄槽２０外空間と接する内蓋２７内に設けた排気経路３８を通過することで、排気より低い温度の洗浄槽２０外と接触し、熱交換されることで、排気の水分を少なくすることができるため、熱い湿った排気をそのまま機外に出すことがない。これにより、使用者は使用中または使用していない場合でも、食器洗い機の前での作業や、通過する際に排気を気にすることなく安心して使用することができるとともに、通気口４２周辺等の筐体１７前面の結露を抑制することができ、使用感を向上させることができる。
【００３０】
また、内蓋給水経路３５の排気経路３８の外周を取り囲む部分に環状給水経路３５ａを形成し、この環状給水経路３５ａで排気経路３８外周の側壁部４１と内蓋給水経路３５とを接触させる構成とし、排気中に給水手段３１から水を流すことで、内蓋給水経路３５が冷却され、この内蓋給水経路３５の環状給水経路３５ａに外周の側壁部４１が取り囲まれ接触している排気経路３８も同時に冷却されるため、排気の熱交換をより効率よく実施させることができ、洗浄槽２０外への排気による結露を緩和することができる。
【００３１】
さらに、内蓋吸気口３６と内蓋排気口３７の位置を、前後方向、左右方向いずれにおいても互いにずらせて配置することによって、排気経路３８の長さを可能な限り長く設定するとともに、排気経路３８外周の側壁部４１と内蓋給水経路３５との接触面積を可能な限り広く設定できるので、排気の熱交換をより効率よく実施させることができ、洗浄槽２０外への排気による結露を緩和することができる。
【００３２】
また、排気経路３８は、内蓋２７の最下端で、かつ洗浄槽２０の第２の開口部２６に向けて下方に開口して設けた内蓋吸気口３６に向かって下り勾配に傾斜させているため、熱交換されて発生する結露水を洗浄槽２０内に確実に回収することができ、洗浄槽２０外に
漏れることを防止することができる。
【００３３】
また、筺体１７の前面上方に設けた通気口４２によって、熱交換された排気は徐々に機外に排出することができるので、使用者は使用中または、使用していない場合でも、食器洗い機の前での作業や、通過する際に排気を気にすることなく安心して使用することができるとともに、通気口４２周辺等の筐体１７前面の結露を抑制することができ、使用感を向上させることができる。
【００３４】
また、内蓋吸気口３６を内蓋２７の後部に設け、かつ送風手段３９によって洗浄槽２０内に外気を取り込む吸気口４３を洗浄槽２０の前底部に設けたことにより、吸気口４３から取り込まれヒータ４０によって加熱された乾燥した空気を洗浄槽２０内で前底部から後上部に流れるようにして洗浄槽２０内にくまなく行き渡らせることができるので、食器類１９等の乾燥を効率よく行わせることができる。
【００３５】
なお、排気経路３８の形状は、本実施の形態では、内蓋吸気口３６から横方向に伸び、途中からほぼ直角に前方に折れ曲がり内蓋排気口３７に至る平面視略Ｌ字形状としたが、内蓋吸気口３６から前方に伸びた後、横方向に折れ曲がり内蓋排気口３７に至る平面視略Ｌ字形状としても同様の効果が得られる。また、排気経路３８の形状は、本実施の形態の略Ｌ字形状に限られるものではなく、例えば円弧形状やつづら折れ形状等であってもよい。
【００３６】
また、排気経路３８の傾斜は、本実施の形態では、内蓋吸気口３６から内蓋排気口３７へ向かって徐々に上り勾配としたが、一部に平坦部や逆勾配部を有しても良い。排気経路３８の形状が本実施の形態のような平面視略Ｌ字形状の場合を例にとると、内蓋吸気口３６から横方向に伸びる部分を平坦部もしくは逆勾配部としてもよい。
【００３７】
また、本実施の形態では、内蓋吸気口３６を内蓋２７の最下端に設け、かつ、排気経路３８を内蓋吸気口３６に向かって下り勾配に傾斜させたことにより、排気経路３８内で発生した結露水は内蓋吸気口３６から洗浄槽２０内に戻すようにしているが、洗浄槽２０内の食器類１９の配置との関係等に応じて、排気経路３８の途中もしくは排気経路３８とは別に設けた結露水戻し経路に専用の結露水戻し孔を設けてもよい。特に、上述したような一部に平坦部や逆勾配部を有する排気経路３８の場合、下り勾配の最下部近傍に専用の結露水戻し孔を設ければ、結露水を排気経路３８内に滞留させることなく確実に洗浄槽２０内に戻すことができ効果的である。
【産業上の利用可能性】
【００３８】
以上のように、本発明にかかる食器洗い機は、排気を食器洗い機の前面から出さないことで、食器洗い機の前での作業や、通過する際に排気を気にすることなく安心して使用することが可能となるので、システムキッチンにビルトインして使用されるタイプの食器洗い機等として有用である。
【符号の説明】
【００３９】
１７  筐体
１８  第１の開口部
２０  洗浄槽
２１  扉体
２４  洗浄ノズル
２５  洗浄ポンプ
２６  第２の開口部
２７  内蓋
３１  給水手段
３５  内蓋給水経路
３５ａ  環状給水経路
３６  内蓋吸気口
３７  内蓋排気口
３８  排気経路
３９  送風手段
４０  ヒータ
４１  側壁部
４２  通気口
４３  吸気口
【図１】
0005589912.tif 000002
【図２】
0005589912.tif 000003
【図３】
0005589912.tif 000004
【図４】
0005589912.tif 000005
【図５】
0005589912.tif 000006